Podtech/llm-jp-corpus-v4-ja_patent huggingface dataset:
(57)【要約】      （修正有）【課題】コンビニエンスストア、ファーストフードショップ、自動販売機等で購入したホットコーヒーを安全かつ容易に持ち運べ、なおかつファッション性に優れたドリンクホルダーを提供する。【解決手段】１枚布を型抜き、または切り出し、一方ののりしろ９に布地用接着剤をつけ他方の面５に張り合わせる。接着剤が乾くと円筒状のドリンクホルダーになり、上端の２つの手提げ式の取っ手１の間からコーヒーカップを入れ持ち運ぶ。外観にキャラクターを模したデザインや、企業名等のデザインをプリントすることができる。【選択図】図１
0003199190.tif 000002
【実用新案登録請求の範囲】
【請求項１】
コンビニエンスストア、ファーストフードショップ、自動販売機等で販売されるホットコーヒーの容器を挿入して保持可能な容器収納空間を有し、外観にキャラクターを模したデザインや、企業名等のデザインをプリントすることもできることを特徴とするドリンクホルダー。
【考案の詳細な説明】
【技術分野】
【０００１】本考案は、コンビニエンスストア、ファーストフードショップ、自動販売機等で販売されるホットコーヒーカップなどの飲料用容器を保持して携帯する用に供するドリンクホルダーに関する。
【背景技術】
【０００２】コンビニエンスストア、ファーストフードショップ、自動販売機等で販売されるホットコーヒーの一般的な移動手段は、手持ちまたは、紙袋に入れて持ち運ぶ方法がほとんどになっている。
そのため、今回申請の内容で考案した。
【考案の概要】
【考案が解決しようとする課題】
【０００３】コンビニエンスストア、ファーストフードショップ、自動販売機等でホットコーヒー（普通サイズ）を購入した際に、そのほとんどが手渡しのため、持ち歩く際に手持ちで歩くが熱い場合もあり、やけどの恐れもある。
手荷とコーヒーを持つと両手がふさがり自由が利かないため転倒の恐れもある。
【課題を解決するための手段】
【０００４】上記課題を解決するために、本考案のドリンクホルダーは、市販のホットコーヒーの容器を挿入して保持可能な容器収納空間を有したデザインにした。
外観にキャラクターを模したデザインや、企業名等のデザインをプリントできることでドリンクホルダーを持つ楽しみも味わえる。
【考案の効果】
【０００５】このホルダーを使い持ち歩くことで、やけどの危険性もなくなり、手提げ式なので、こぼれる心配も少ない。
鞄とコーヒーで両手がふさがれるが、このホルダーは鞄と一緒にも持てるため、片手を開けることができ、転倒時などのけがのリスクも軽減される。
【図面の簡単な説明】
【０００６】
【図１】設計図である。
【図２】完成イメージ図である。
【考案を実施するための形態】
【０００７】以下、図面を用いて本考案の実施の形態について説明する。まず、本考案のドリンクホルダーは、コンビニエンスストア、ファーストフードショップ、自動販売機等で販売されるホットコーヒーの容器を挿入して保持可能な容器収納空間を有する。容器収納空間は上端に開口を設けてあり、ホットコーヒーの容器はこの開口から容器収納空間に挿入したり取り出したりすることができるが、挿入した飲料用容器の飲み口をこの開口から露出させることができる。
【産業上の利用可能性】
【０００８】本考案のドリンクホルダーは、ホルダー本体の外側にキャラクターを模したデザインや、企業名等のデザインをプリントできる。そのため、企業、イベント、キャラクター等のＰＲもでき、汎用性も良くなる。
【符号の説明】
【０００９】１    取っ手  （幅）              １５ｍｍ    アール（５１．３Ｒ）
２    取っ手  （内側の長さ）    １００ｍｍ
３    取っ手  （内側の幅）      １００ｍｍ
４    本体    （上辺の幅）      ２６０ｍｍ
５    本体    （外側の長さ）    １０９ｍｍ
６    本体    （高さ）            ９５ｍｍ
７    本体    （底辺）            １８ｍｍ    アール（１８６．７Ｒ）
８    本体    （底辺の幅）      １６０ｍｍ
９    のりしろ（幅）              １０ｍｍ
１０  のりしろ（長さ）            ９７ｍｍ
１１  取っ手  （外側の幅）      １３０ｍｍ
【図１】
0003199190.tif 000003
【図２】
0003199190.tif 000004
【手続補正書】
【提出日】平成27年1月14日(2015.1.14)
【手続補正１】
【補正対象書類名】実用新案登録請求の範囲
【補正対象項目名】全文
【補正方法】変更
【補正の内容】
【実用新案登録請求の範囲】
【請求項１】
コンビニエンスストア、ファーストフードショップ、自動販売機等で販売されるホットコーヒーの容器を挿入して持ち運ぶためのコーヒーカップ等ホルダーである。コーヒーカップ等を鉛直に吊り下げる状態で環状のホルダー本体部とアーチ状の手提げ部から構成される。外観にキャラクターを模したデザインや、企業名等のデザインをプリントすることもできることを特徴とするドリンクホルダー。
【手続補正書】
【提出日】平成27年3月11日(2015.3.11)
【手続補正１】
【補正対象書類名】実用新案登録請求の範囲
【補正対象項目名】全文
【補正方法】変更
【補正の内容】
【実用新案登録請求の範囲】
【請求項１】
このコンビニ等コーヒーカップホルダーは外観にキャラクターを模したデザインや、企業名等のデザインをプリントすることもできることを特徴とし、コンビニエンスストア、ファーストフードショップ、自動販売機等で販売されるホットコーヒー等の容器を鉛直に吊り下げる状態で持ち運ぶためのものであり、設計図にあるとおり本体をイメージ図のように張り合わせ、その内部に挿入して持ち運ぶことができる。
【手続補正書】
【提出日】平成27年5月19日(2015.5.19)
【手続補正１】
【補正対象書類名】実用新案登録請求の範囲
【補正対象項目名】全文
【補正方法】変更
【補正の内容】
【実用新案登録請求の範囲】
【請求項１】
コンビニエンスストア、ファーストフードショップ、自動販売機等で販売されるホットコーヒーの容器を挿入して保持可能なように上端に開口が設けられている容器収容空間を有し、外観にキャラクターを模したデザインや、企業名等のデザインをプリントすることができる本体と、手提げ式の取っ手と、を備えることを特徴とするドリンクホルダー。
(57)【要約】      （修正有）【課題】使用が便利になり、複数の折畳まれる単枚尿パッドを上から下に順次に一つに全体に積層するので、占用空間が小さくなり、抽出、輸送及び保管を便利にし、家居環境を美化させ、家居環境を綺麗及び清潔に保持させ、人々の労動強度を減軽する取出式ペット用尿パッドを提供する。【解決手段】取出式ペット用尿パッドは、複数の単枚尿パッドを含み、単枚尿パッド１をその中央で折畳み、前記複数の単枚同士が破断線２により接続されそこで折畳まれ、複数の単枚尿パッドが上から下に順次に一つに全体に積層される。【選択図】図１
0003199178.tif 000002
【実用新案登録請求の範囲】
【請求項１】
複数の単枚尿パッドを含み、前記単枚尿パッドをその中央で折畳み、前記複数の単枚尿パッド同士が破断線により接続されそこで折畳まれ、複数の単枚尿パッドが上から下に順次に一つに全体に積層されることを特徴とする取出式ペット用尿パッド。
【考案の詳細な説明】
【技術分野】
【０００１】
本考案は、取出式ペット用尿パッドに関する。
【背景技術】
【０００２】
社会の発展及び生活水平の向上により、人々は、物質生活を享受するともに、絶えず精神生活も追求し、自然の気楽に熱望する人が益々多くなり、ペットの飼養が次第に流行時代の気風になる。日常生活で、ペット用尿パッドが普遍にペットの排泄物の清理に使用されている。然し、従来の単枚尿パッド同士が破断線により接続され、尿パッドが直接的に折畳まれることで、包装袋内に入れられて包装及び使用に供えるが、使用過程で、その収納機能が望ましくなく、使用があまり便利でなく、占用空間が比較的大きく、家居環境の美観に影響する。
【考案の概要】
【考案が解決しようとする課題】
【０００３】
本考案が解決しようとする技術問題は、取出式ペット用尿パッドを提供することにある。
【課題を解決するための手段】
【０００４】
前記技術問題を解決するために、本考案は以下の技術方案を採用する。取出式ペット用尿パッド、は、複数の単枚尿パッドを含み、前記単枚尿パッドをその中央で折畳み、前記複数の単枚同士が破断線により接続されそこで折畳まれ、複数の単枚尿パッドが上から下に順次に一つに全体に積層される。
【考案の効果】
【０００５】
本考案の長所は、前記取出式ペット用尿パッドは、使用が便利で、複数の折畳まれる単枚尿パッドを上から下に順次に一つに全体に積層するので、占用空間が小さくなり、抽出、輸送及び保管を便利にし、家居環境を美化させ、使家居環境を綺麗及び清潔に保持させ、人々の労動強度を減軽することにある。
【図面の簡単な説明】
【０００６】
【図１】図１は本考案による取出式ペット用尿パッドの構造見取図である。
【図２】図２は本考案による取出式ペット用尿パッドが尿パッド包装ケースに入れられる状態の構造見取図である。
【考案を実施するための形態】
【０００７】
以下、図面及び具体的な実施例により本考案の具体的な内容を詳細に記述する。
【０００８】
図１の示すように、取出式ペット用尿パッドは、複数の単枚尿パッド１を含み、前記単枚尿パッド１をその中央で折畳み、前記複数の単枚尿パッド１同士が破断線２により接続されそこで折畳まれ、複数の単枚尿パッド１が上から下に順次に一つに全体に積層される。
【０００９】
図２の示すように、取出式ペット用尿パッド３が尿パッド包装ケース４に入れられ、在尿パッド包装ケース４の上端に上蓋５が設置され、上蓋５の中部に抽出口６が設置され、単枚尿パッド１が抽出口６から抽出され、破断線２から引き裂かれる。
【００１０】
前記取出式ペット用尿パッドは、使用を便利にし、複数の折畳まれる単枚尿パッドが上から下に順次に一つに全体に積層され、占用空間が小さくなり、抽出、輸送及び保管を便利にさせ、家居環境を美化させ、家居環境を綺麗及び清潔に保持させ、人々の労動強度を減軽させる。
【符号の説明】
【００１１】
１…単枚尿パッド、２…破断線、 ３…取出式ペット用尿パッド、 ４…尿パッド包装ケース、５…上蓋、６…抽出口。
【図１】
0003199178.tif 000003
【図２】
0003199178.tif 000004
(57)【要約】      （修正有）【課題】構造が合理になり、使用が便利になり、複数の折畳まれる単枚尿パッドが上から下に順次に一つに全体に積層され、占用空間が小さくなり、抽出、輸送及び保管を便利にさせ、家居環境を美化させ、家居環境を綺麗及び清潔に保持させ、人々の労動強度を減軽させる取出式折畳みペット用尿パッドを提供する。【解決手段】取出式折畳みペット用尿パッド２は、複数の単枚ペット用尿パッド１を含み、単枚ペット用尿パッドをその中央で折畳み、隣接の単枚ペット用尿パッド同士が交錯して積層され、上の単枚ペット用尿パッドの下面の略半分が下の単枚ペット用尿パッドの上面の略半分の上に積層される。【選択図】図１
0003199179.tif 000002
【実用新案登録請求の範囲】
【請求項１】
複数の単枚ペット用尿パッドを含み、単枚ペット用尿パッドをその中央で折畳み、隣接の単枚ペット用尿パッド同士が交錯して積層され、上の単枚ペット用尿パッドの下面の略半分が下の単枚ペット用尿パッドの上面の略半分の上に積層されることを特徴とする取出式折畳みペット用尿パッド。
【考案の詳細な説明】
【技術分野】
【０００１】
本考案は、取出式折畳みペット用尿パッドに関する。
【背景技術】
【０００２】
社会の発展及び生活水平の向上により、人々は、物質生活を享受するともに、絶えず精神生活も追求し、自然の気楽に熱望する人がますます多くなり、ペットの飼養が次第に流行時代の気風になる。日常生活で、ペット用尿パッドが普遍にペットの排泄物の清理に使用されている。然し、従来の単枚尿パッド同士が破断線により接続され、尿パッドが直接的に折畳まれることで、包装袋内に入れられて包装及び使用に供えるが、使用過程で、その収納機能が望ましくなく、使用があまり便利でなく、占用空間が比較的大きく、家居環境の美観に影響する。
【考案の概要】
【考案が解決しようとする課題】
【０００３】
本考案の解決しようとする技術問題は、取出式折畳みペット用尿パッドを提供する。
【課題を解決するための手段】
【０００４】
前記技術問題を解決するために、本考案は、以下の技術方案を採用する。
【０００５】
取出式折畳みペット用尿パッドは、複数の単枚ペット用尿パッドを含み、単枚ペット用尿パッドをその中央で折畳み、隣接の単枚ペット同士が交錯して積層され、上の単枚ペット用尿パッドの下面の略半分が下の単枚ペット用尿パッドの上面の略半分の上に積層される。
【考案の効果】
【０００６】
本考案の長所は、前記取出式折畳みペット用尿パッドは、構造が合理になり、使用を便利にし、複数の折畳まれる単枚尿パッドが上から下に順次に一つに全体に積層され、占用空間が小さくなり、抽出、輸送及び保管を便利にさせ、家居環境を美化させ、家居環境を綺麗及び清潔に保持させ、人々の労動強度を減軽させることにある。
【図面の簡単な説明】
【０００７】
【図１】図１は本考案による取出式折畳みペット用尿パッドの構造見取図である。
【図２】図２は本考案による取出式ペット用尿パッドが尿パッド包装ケースに入れられる状態の構造見取図である。
【考案を実施するための形態】
【０００８】
以下、図面及び具体的な実施例により本考案の具体的な内容を詳細に記述する。
【０００９】
図１の示すように、取出式折畳みペット用尿パッドは、複数の単枚ペット用尿パッド１を含み、単枚ペット用尿パッド１をその中央で折畳み、隣接の単枚ペット用尿パッド１同士が交錯して積層され、上の単枚ペット用尿パッド１の下面の略半分が下の単枚ペット用尿パッド１の上面の略半分の上に積層される。
【００１０】
図２の示すように、取出式折畳みペット用尿パッド２が尿パッド包装ケース３内に入れられ、尿パッド包装ケース３の上端に上蓋４が設置され、上蓋４の中部に抽出口５が設置され、単枚ペット用尿パッド１が抽出口５から抽出される。
【００１１】
前記取出式折畳みペット用尿パッドは、構造が合理になり、使用を便利にし、複数の折畳まれる単枚尿パッドが上から下に順次に一つに全体に積層され、占用空間が小さくなり、抽出、輸送及び保管を便利にさせ、家居環境を美化させ、家居環境を綺麗及び清潔に保持させ、人々の労動強度を減軽させる。
【符号の説明】
【００１２】
１…単枚ペット用尿パッド、２…取出式折畳みペット用尿パッド、３…尿パッド包装ケース、４…上蓋、５…抽出口。
【図１】
0003199179.tif 000003
【図２】
0003199179.tif 000004
(57)【要約】      （修正有）【課題】使用を便利にし、複数の単枚ペット用尿パッドを接続した尿パッド連続体が内から外に順次に巻き状に全体に巻き取られ、占用空間が小さくなり、抽出、輸送及び保管を便利にさせ、家居環境を美化させ、家居環境を綺麗及び清潔に保持させ、人々の労動強度を減軽させる巻回式ペット用尿パッドを提供する。【解決手段】巻回式ペット用尿パッド３は、複数の単枚ペット用尿パッド１を含み、複数の単枚ペット用尿パッド同士が破断線２により接続され、複数の単枚ペット用尿パッドを接続した尿パッド連続体が内から外に順次に巻き状に全体に巻き取られる。【選択図】図１
0003199180.tif 000002
【実用新案登録請求の範囲】
【請求項１】
複数の単枚ペット用尿パッドを含み、前記複数の単枚ペット用尿パッド同士が破断線により接続され、前記複数の単枚ペット用尿パッドを接続した尿パッド連続体が内から外に順次に巻き状に全体に巻き取られることを特徴とする巻回式ペット用尿パッド。
【考案の詳細な説明】
【技術分野】
【０００１】
本考案は巻回式ペット用尿パッドに関する。
【背景技術】
【０００２】
社会の発展及び生活水平の向上により、人々は、物質生活を享受するともに、絶えず精神生活も追求し、自然の気楽に熱望する人が益々多くなり、ペットの飼養が次第に流行時代の気風になる。日常生活で、ペット用尿パッドが普遍にペットの排泄物の清理に使用されている。然し、従来の単枚尿パッド同士が破断線により接続され、尿パッドが直接的に折畳まれることで、包装袋内に入れられて包装及び使用に供えるが、使用過程で、その収納機能が望ましくなく、使用があまり便利でなく、占用空間が比較的大きく、家居環境の美観に影響する。
【考案の概要】
【考案が解決しようとする課題】
【０００３】
本考案が解決しようとする技術問題は、巻回式ペット用尿パッドを提供することにある。
【課題を解決するための手段】
【０００４】
前記技術問題を解決するために、本考案は、以下の技術方案を採用する。巻回式ペット用尿パッドは、複数の単枚ペット用尿パッドを含み、前記複数の単枚ペット用尿パッド同士が破断線により接続され、前記複数の単枚ペット用尿パッドを接続した尿パッド連続体が内から外に順次に一つの巻き状に全体に巻き取られる。
【考案の効果】
【０００５】
本考案の長所は、前記巻回式ペット用尿パッドは、使用を便利にし、複数の折畳まれる単枚ペット用尿パッドが上から下に順次に一つの全体に積層され、占用空間が小さくなり、抽出、輸送及び保管を便利にさせ、家居環境を美化させ、家居環境を綺麗及び清潔に保持させ、人々の労動強度を減軽させることにある。
【図面の簡単な説明】
【０００６】
【図１】図１は本考案による巻回式ペット用尿パッドの構造見取図である。
【図２】図２は本考案による巻回式ペット用尿パッドが尿パッド包装ケースに入れられる状態の構造見取図である。
【考案を実施するための形態】
【０００７】
以下、図面及び具体的な実施例により本考案の具体的な内容を詳細に記述する。
【０００８】
図１、図２の示すように、巻回式ペット用尿パッドは、複数の単枚ペット用尿パッド１を含み、前記複数の単枚ペット用尿パッド１同士が破断線２により接続され、複数の単枚ペット用尿パッド１を接続した尿パッド連続体が内から外に順次に全体の巻き状に巻回式ペット用尿パッド３に巻き取られる。
【０００９】
図２の示すように、巻回式ペット用尿パッド３が尿パッド包装ケース４に入れられ、在尿パッド包装ケース４の上端に上蓋５が設置され、尿パッド包装ケース４の一側に抽出口６が設置され、単枚ペット用尿パッド１が抽出口６から抽出される。
【００１０】
前記巻回式ペット用尿パッドは、使用を便利にし、複数の単枚ペット用尿パッドを接続した尿パッド連続体が内から外に順次に一つの巻き状に全体に巻き取られ、占用空間が小さくなり、抽出、輸送及び保管を便利にさせ、家居環境を美化させ、家居環境を綺麗及び清潔に保持させ、人々の労動強度を減軽させる。
【符号の説明】
【００１１】
１…単枚ペット用尿パッド、２…破断線、３…巻回式ペット用尿パッド、４…尿パッド包装ケース、５…上蓋、６…抽出口。
【図１】
0003199180.tif 000003
【図２】
0003199180.tif 000004
(57)【要約】      （修正有）【課題】杖、棒、バー、ハンドル等、棒もしくは筒状の人が掴んだり握ったりして、操作や活動する物に対し、その大きさや太さに関係なく巻きつけて留めることが可能な汗取り具を提供する。【解決手段】留め具雄部２Ａを設けた二つに折りたたまれたタオル等の布部１の間に、すべり止め３を具えた伸縮可能ファスナー雌部２Ｂを設ける。滑り止めを起点として棒もしくは筒状の人が掴んだり握ったりして、操作や活動する物に巻き付け、滑り止め部位を押さえながら巻き、最外部となる布部に取り付けられた留め具雄部を留め具雌部に取り付けることで固定する。【選択図】図１
0003199172.tif 000002
【実用新案登録請求の範囲】
【請求項１】
二つに折りたたまれた布部と、
前記布部の間に挟まれた滑り止めのついた伸縮可能な留め具雌部とからなり、滑り止めを起点として掴んだり握ったりして、操作や活動する部位に巻きはじめ、その滑り止め部位を伸縮可能な留め具雌部を用いて押さえながら巻き、最外部となる布部に取り付けられた前記留め具雄部を前記留め具雌部に取り付けることで固定できる汗取り具。
【考案の詳細な説明】
【技術分野】
【０００１】
本考案は、使用者が掴んだり握ったりして操作や活動する棒状もしくは筒状の物に対し、巻きつけて留めることができる汗取り具に関する。
【背景技術】
【０００２】
手汗をかいた状態で物を握った時、滑ってしまうことが多々ある。そのため、使用者が掴んだり握ったりして、操作や活動する物（例えば、車両や自転車のハンドルや、足の不自由な使用者が利用する杖等）には、すべり止めがつけられていることが多い。
【０００３】
現在、すべり止めとして使われる素材の多くは合成素材である為吸湿性はそれほど高いものではなく、多くの汗をかいて握った際には、やはり滑ってしまうことが多い。また、そのほとんどは製造過程において、使用者が操作する物に固定された状態であるため汚れた場合の洗濯が不可能な状況にある。そのため、汗取り具として相応しい素材であるとは言えない（例えば、下記の特許文献１を参照。）。
【先行技術文献】
【特許文献】
【０００４】
【特許文献１】登録実用新案第３０４９８２３号公報
【考案の概要】
【考案が解決しようとする課題】
【０００５】
掴んだり握ったりして、操作や活動する部位に取り付ける汗取り具を、綿・レーヨン等の吸湿性の良好な素材で形成した場合、落ちないように、且つその操作性の邪魔をしないように固定することは困難である。
【０００６】
本考案は、このような点に鑑み汗取り具を巻きつけて固定することにより操作性を邪魔せず、操作中でも利用可能な汗取り具を提供することにある。
【０００７】
また、本考案は留める位置を調整することが可能となっており、取り付けるものの太さ、大きさによらず適正に装着させることができる汗取り具を提供することにある。
【０００８】
さらに本考案は、すべり止めを伸縮部で抑えることができることで、手が当たるなどの外部衝撃が加わっても動きにくい状態を作ることが可能なため、掴んだり握ったりして、操作や活動する部位の操作性を邪魔しない汗取り具を提供することにある。
【課題を解決するための手段】
【０００９】
本考案の汗取り具の技術的手段は、留め具雄部がつけられ二つに折りたたまれた布部と、その布部の間に挟まれた滑り止めのついた伸縮可能な留め具雌部により構成される汗取り具を、その滑り止めを起点として掴んだり握ったりして、操作や活動する部位に巻きはじめ、その滑り止め部位を伸縮可能な留め具雌部を用いて押さえながら巻くことにより左右前後に動きにくい状況を作り、最外部となる布部に取り付けられた留め具雄部を留め具雌部に取り付けることで固定できるようにしたことにある。
【００１０】
さらに、布部を二つ折りすることにより、生地の厚みを増すことができるとともに、接合時における布部以外の接触を極力抑えるうえ、洗濯乾燥時の乾燥時間の短縮も可能にした。留め具雄部を敢えて中心からずらすことによって、内側と外側の外周差による生地のたわみも解消することも可能となる。
【考案の効果】
【００１１】
本考案による汗取り具は、操作や活動する部位に取り付けたまま使用が可能である。そのため、操作や活動中に手汗をかいた場合に探す必要がないため、通常のタオルに比べて操作に与える影響が少ない。
【００１２】
また、すべり止めを伸縮可能な素材で抑えることで、操作・活動中に外部からの衝撃があったとしてもずれる心配が少ない。
【００１３】
さらに、留め具雌部を長く持つことで留める位置を自由に選ぶことができるため、取り付けるものの太さ、大きさによらず適正に装着させることができる。着脱が容易である上、様々なサイズに適用が可能となっている。留め具にはできるだけ突出部が少ないタイプを用いることで、布部にタオルを用いたときに生じるパイルとの絡みつきを抑え、且つ留め具カバーを添付することによりもっとも絡み付く可能性が高い持ち運び時にも問題はない。
【図面の簡単な説明】
【００１４】
【図１】本考案の実施例の汗取り具１０を広げた状態の裏面図である。
【図２】本考案の実施例の汗取り具１０を広げた状態の表面図である。
【図３】本考案の実施例の汗取り具１０を自動車のハンドルに取り付ける場合の取付開始状態を表した図である。
【図４】本考案の実施例の汗取り具１０を自動車のハンドル２０に取り付ける場合の取付終了直前状態を表した図である。
【考案を実施するための形態】
【００１５】
本考案の汗取り具を実施するための形態を、図面の実施例に基づいて説明する。
【実施例】
【００１６】
図１は、実施例の一つである汗取り具１０を広げて裏から見たときの裏面図である。布部１から出ている部位については、両面が見えるように折り曲げて図にした。
【００１７】
汗取り具１０の本体となる布部１の生地は自由であるが、タオル織りされた綿製が望ましい。二つ折りされた布部１には留め具雄部２Ａがつけられている。尚、この留め具雄部２Ａは巻き付けたときの内外差が発生するために中心より少しずらした部位に取り付けることが望ましい。
【００１８】
布部１から出る伸縮性の留め具雌部２Ｂについては、ゴムと合わせることにより、伸縮可能に構成されるとともに、その強度を強め、留め具雌部２Ｂが縮もうとする力を強める。この部位の端には両面に滑り止め３が取り付けられているものとする。
【００１９】
本考案の汗取り具１０を自動車のハンドル２０に取り付ける（図３）際には、その滑り止め３を起点として、ハンドル２０における掴んだり握ったりして、操作や活動する部位に巻きはじめ、その滑り止め３を伸縮可能な留め具雌部２Ｂを用いて押さえながら巻くことにより左右前後に動きにくい状況を作り、最外部となる布部１に取り付けられた留め具雄部２Ａを留め具雌部２Ｂに取り付けることで装着・固定できる。
【００２０】
本考案は、前記の実施例に限定されるものではなく、実用新案登録請求の範囲の記載の範囲内で自在に変形実施可能である。特に布地の生地種類、留め具の種類、すべり止めの種類、大きさについても自由である。
【符号の説明】
【００２１】
１…布部，２Ａ…留め具雄部，２Ｂ…留め具雌部，３…滑り止め，１０…汗取り具，２０…ハンドル。
【図１】
0003199172.tif 000003
【図２】
0003199172.tif 000004
【図３】
0003199172.tif 000005
【図４】
0003199172.tif 000006
(57)【要約】      （修正有）【課題】構造が簡単、きれいで実用的な省エネランプを提供する。【解決手段】省エネランプは、ランプホルダー３、上プラスチック部品４、下プラスチック部品１、スリップ層５及びランプ２を含む。ランプのトップは下プラスチック部品と接続され、上プラスチック部品は下プラスチック部品の上方にスリップ層を介して設置される。スリップ層は凸形状であり、ランプホルダーは上プラスチック部品のトップに設置される。さらに、ランプはスパイラル状に下から上に旋回して、ピラミッド形状を示し、下プラスチック部品は高温防水プラスチック層である。【選択図】図１
0003199294.tif 000002
【実用新案登録請求の範囲】
【請求項１】
省エネランプにおいて、ランプホルダー、上プラスチック部品、下プラスチック部品、スリップ層及びランプを含み、ランプの上端は下プラスチック部品と接続され、下プラスチック部品の上方には上プラスチック部品が設置され、上プラスチック部品と下プラスチック部品の間には、スリップ層が周囲を取り囲むように設けられ、スリップ層は凸形状に形成され、ランプホルダーは上プラスチック部品の上端に設置されることを特徴とする省エネランプ。
【請求項２】
請求項１に記載の省エネランプにおいて、ランプはスパイラルのように下から上に旋回して、ピラミッド形状を示すことを特徴とする省エネランプ。
【請求項３】
請求項１に記載の省エネランプにおいて、ランプは一つであることを特徴とする省エネランプ。
【請求項４】
請求項１に記載の省エネランプにおいて、下プラスチック部品は高温防水プラスチック層であることを特徴とする省エネランプ。
【考案の詳細な説明】
【技術分野】
【０００１】
本実用新案は一種省エネランプ分野に属する。特に、一種新型省エネランプに関連する。
【背景技術】
【０００２】
省エネランプは人々の日常生活に常用的な照明具である。省エネランプの光源は同じ光能輸出という前提の下に、普通の白熱灯用電気エネルギー消費の1/5と1/4であるから、大量な照明電気エネルギーと費用を節約できる。現在、多数の省エネランプの装置と分解は便利ではない、防湿防水設備を設置されない、安全ではない。それに、ランプはコンパクトまたは単一で、長い時間使うと熱を発しやすいあるいは照明の明るさは足りない、且つ美しくない。
【考案の概要】
【考案が解決しようとする課題】
【０００３】
本実用新案は解決する技術問題は一種構造が簡単、きれいで実用できな省エネランプを提供する。
【課題を解決するための手段】
【０００４】
本実用新案は以下の技術方案で実現される。本実用新案は一種新型省エネランプを公開される。ランプホルダー、上プラスチック部品、下プラスチック部品、スリップ層及びランプを含まれる。述べるランプのトップは下プラスチック部品と接続される。述べる下プラスチック部品の上方はプラスチック部品を設置される。述べる上プラスチック部品は下プラスチック部品の上方に設置されて、中間にスリップ層を周りに取り囲まれる。述べるスリップ層は凸形状である。述べるランプホルダーは上プラスチック部品のトップに設置される。
【０００５】
さらに、述べるランプはスパイラルのように下から上に旋回して、ピラミッド形状を示す。
【０００６】
そして、述べるランプは一つの全体である。
【０００７】
述べる下プラスチック部品は高温防水プラスチック層である。
【考案の効果】
【０００８】
本実用新案の有益な効果は本実用新案の外形が引きやすい、長い時間で使用したら放熱が遅いという問題を解決する。それに、上プラスチック部品にスリップ層を設置される。そうすると、人の装置して使用することに便利である。構造は簡単、便利で実用なものである。
【図面の簡単な説明】
【０００９】
【図１】本実用新案の一種新型省エネランプの構造説明図である。
【考案を実施するための形態】
【００１０】
図1のように本実用新案は一種新型省エネランプはランプホルダー３、上プラスチック部品４、下プラスチック部品１、スリップ層５及びランプ２を含まれる。述べるランプ２のトップは下プラスチック部品１と接続される。述べる下プラスチック部品１の上方はプラスチック部品４を設置される。述べる上プラスチック部品４は下プラスチック部品１の上方に設置されて、中間にスリップ層５を周りに取り囲まれる。述べるスリップ層５は凸形状である。述べるランプホルダー３は上プラスチック部品４のトップに設置される。
【００１１】
さらに、述べるランプはスパイラルのように下から上に旋回して、ピラミッド形状を示す。
【００１２】
そして、述べるランプは一つの全体である。
【００１３】
述べる下プラスチック部品は高温防水プラスチック層である。
【００１４】
本実用新案の有益な効果は本実用新案の外形が引きやすい、長い時間で使用したら放熱が遅いという問題を解決する。それに、上プラスチック部品にスリップ層を設置される。そうすると、人の装置して使用することに便利である。構造は簡単、便利で実用なものである。
【００１５】
上記は、単なる本実用新案の具体的な実施方式しかない。しかし、実用的な新型の保護範囲はこれに限定されるものではない。すべての創造的な労働をせずに考えた変化や変更は、本実用新案の保護範囲に覆われる。したがって、本実用新案の保護範囲は、権利要求書を限定された範囲によって定義されるべきである。
【符号の説明】
【００１６】
１  下プラスチック部品
２  ランプ
３  ランプホルダー
４  上プラスチック部品
５  スリップ層
【図１】
0003199294.tif 000003
(57)【要約】      （修正有）【課題】ワイヤレスルータの機能を持ち、ＵＳＢインターフェースを設置するＬＥＤランプを提供する。【解決手段】ＬＥＤランプは、ベース１、灯台２、ライトボディ３、電源線４、ＬＥＤ発光ダイオードウィ５を含む。灯台２の一端はベース１に固定される。ライトボディ３の一端と灯台２の別の一端が転動して接続される。ライトボディ３内にＬＥＤ発光ダイオードウィ５が固定される、電源線４はペース１の上に接続される。ペース１にワイヤレスルータ６が設置される。ワイヤレスルータ６のデータジャック７はペース１の側面に置かれる。灯台２とワイヤレスルータ６はアンテナ８で接続される。【選択図】図１
0003199295.tif 000002
【実用新案登録請求の範囲】
【請求項１】
LEDランプにおいて、ベース、灯台、ライトボディ、電源線、LED発光ダイオードを含み、灯台の一端はベースに固定され、灯台の他端はライトボディの一端と可動的に接続され、ライトボディにはLED発光ダイオードが固定され、電源線はベースの上に接続され、ベースにはワイヤレスルータが設置され、ワイヤレスルータのデータジャックはベースの側面に設けられ、灯台とワイヤレスルータはアンテナで接続されることを特徴とするLEDランプ。
【請求項２】
請求項１に記載のLEDランプにおいて、ベースの上にはUSBインターフェースが設置されることを特徴とするLEDランプ。
【考案の詳細な説明】
【技術分野】
【０００１】
本実用新案は照明具設計分野に関連する。特に一種LEDランプとワイヤレスルータを組み合わせる電気スタンドに関連する。
【背景技術】
【０００２】
LED（ Light Emitting Diode ；発光ダイオード）は一種電気エネルギーを可視光に転換する固形の半導体デバイスである。寿命が長い、エネルギー消費が低いなどのメリットを持つ。LED技術の発展につれて、LED光源の性能ももっと電気スタンドなどの照明具に応用していく。現有のLED電気スタンドは普通にペース、ランプシェード、ペースとランプシェードを接続するポーランドとスイッチを含まれる。ポーランドは一般的に一定の範囲に変状することができ、ポーランド及びLEDランプの照明角度を変えて照明方向を調整する。ユーザーはノブスイッチを回すことで、LEDランプの明るさおよび開閉をコントロールできる。ワイヤレスルータは電磁波を発射して信号を送る。人々は長期に電磁放射を受けたら、きっと健康に影響する。ワイヤレスルータの信号の放射範囲を減少して、電磁放射が人体の損ないをよく下げる。現有技術の中にワイヤレスルータと電気スタンドを分けて設計して、独立にワイヤレスルータの放射方向を調整する必要である。これはやや不便で、多くの机のスペースも占める。
【考案の概要】
【考案が解決しようとする課題】
【０００３】
本実用新案の目的はワイヤレスルータLEDランプを提供して、ワイヤレスルータの機能を持ち、USBインターフェーを設置される。
【課題を解決するための手段】
【０００４】
上記の目的を達成するため、本実用新案のワイヤレスルータLEDランプは、ベース、灯台、ライトボディ、電源線、LED発光ダイオードウィを含まれる。述べる灯台の一端はベースに固定される。述べるライトボディの一端と灯台の別の一端に転動して接続される。述べるライトボディ内にLED発光ダイオードウィを固定される、電源線はペースの上に接続される。述べるペースにワイヤレスルータに設置される。ワイヤレスルータのデータジャックはペースの側面に置かれる。所属灯台とワイヤレスルータはアンテナで接続される。
【考案の効果】
【０００５】
このワイヤレスルータはLEDランプは、LEDランプとワイヤレスルータの機能を持って、両者のスペースを減少して、そのほか、ペースのUSBインターフェースは他のIT製品に充電できる。
【図面の簡単な説明】
【０００６】
【図１】本実用新案のワイヤレスルータLEDランプ側面の構造説明図である。
【考案を実施するための形態】
【０００７】
下記の実施例は本実用新案をはっきり説明する。しかし、本実用新案の保護範囲を限定するものとして理解することはできない。当業者は本実用新案の内容によって、本実用新案のある非本質についての改進及び調整などは本実用新案の範囲に属する。
【０００８】
図1のように、ワイヤレスルータLEDランプは、ベース１、灯台２、ライトボディ３、電源線４、LED発光ダイオードウィ５を含まれる。述べる灯台２の一端はベース１に固定される。述べるライトボディ３の一端と灯台２の別の一端に転動して接続される。述べるライトボディ３内にLED発光ダイオードウィ５を固定される、電源線４はペース１の上に接続される。述べるペース１にワイヤレスルータ６に設置される。ワイヤレスルー６のデータジャック７はペース１の側面に置かれる。所属灯台２とワイヤレスルータはアンテナ８で接続される。ペース１の上にUSBインターフェー９を設置される
【０００９】
このワイヤレスルータはLEDランプは、LEDランプとワイヤレスルータの機能を持って、両者のスペースを減少して、そのほか、ペースのUSBインターフェースは他のIT製品に充電できる。
【符号の説明】
【００１０】
１  ベース
２  灯台
３  ライトボディ
４  電源線
５  LED発光ダイオード
６  ワイヤレスルー
７  データジャック
８  アンテナ
９  USBインターフェース
【図１】
0003199295.tif 000003
(57)【要約】      （修正有）【課題】プッシュプル式イヤーフォンを提供する。【解決手段】前カバー１、密封カバー２、第一スピーカー単体３と第二スピーカー単体４を有する。密封カバー２を前カバー１上に固定し、第一スピーカー単体３と第二スピーカー単体４を、密封カバー２内に設置する。二個のスピーカー単体を対面させて、気密結合、および、並列接続し、作動時、二個のスピーカーが、同時に、“押す”と“引く”の動作を行い、デュアルスピーカーのプッシュプルが、イヤーフォンのスピーカーの振動板の作動時のシフトにより生じる非直線ひずみを大幅に減少させ、解像度を再現し、感度（Ｓ／Ｎ比）、および、効率（ｄｂ値）を向上させる。低音降下がよく、繊細な速度反応を有して、高品質の音質（高Ｃ／Ｐ値）を達成する。【選択図】図１
0003199298.tif 000002
【実用新案登録請求の範囲】
【請求項１】
プッシュプル式イヤーフォンであって、前カバー、密封カバー、第一スピーカー単体と第二スピーカー単体を有し、前記密封カバーは前記前カバー上に固定され、前記第一スピーカー単体と前記第二スピーカー単体は前記密封カバー内に設置され、前記密封カバー内に、一個のスピーカー装着位置を設置し、前記第二スピーカー単体を、前記スピーカー装着位置に設置し、前記第一スピーカー単体を、前記前カバー上に装着することを特徴とするプッシュプル式イヤーフォン。
【請求項２】
前記第一スピーカー単体と前記第二スピーカー単体は、対称に設置されることを特徴とする請求項１に記載のプッシュプル式イヤーフォン。
【考案の詳細な説明】
【技術分野】
【０００１】
本考案は、イヤーフォンに関するものであって、特に、プッシュプル式イヤーフォンに関するものである。
【背景技術】
【０００２】
イヤーフォンは、日常生活において、よく使用する電気製品であり、音源設備に挿入して、音楽を聴くことができる。現在のイヤーフォンは、通常、ハウジングとハウジング内に設置されたイヤーフォンスピーカーにより構成され、使用時、イヤーフォンスピーカーに電流を流し、コイルを利用して、スピーカーの振動板により振動を生成し、音声を発出させる。しかし、イヤーフォンスピーカーの振動板の作動時、大きいシフトが生じるので、不規則な揺れが発生し、 “シフトのひずみ”（distortion）と“二次高調波(quadratic harmonic)”を生成して、イヤーフォンの解像度が不足し、感度が悪くなる。
【考案の概要】
【考案が解決しようとする課題】
【０００３】
上述の従来の技術中のイヤーフォンの解像度が悪い欠点に対し、本考案は、プッシュプル式イヤーフォンを提供し、相対して設置された二個のスピーカー単体が、作動時に、同時に生成する “押す”、“引く”の動作により、イヤーフォンのスピーカーの振動時のシフトにより生じる非直線ひずみを大幅に減少させ、スピーカーの解像度を再現することを目的とする。
【課題を解決するための手段】
【０００４】
上述の問題を解決するため、本考案は、プッシュプル式イヤーフォンを提供し、プッシュプル式イヤーフォンは、前カバー、密封カバー、第一スピーカー単体と第二スピーカー単体を有し、密封カバーが前カバー上に固定され、第一スピーカー単体と第二スピーカー単体が密封カバー内に設置される。
さらに、本考案の第一スピーカー単体と第二スピーカー単体は、対称に設置される。
密封カバー内に、一個のスピーカー装着位置を設置し、第二スピーカー単体は、スピーカー装着位置に設置され、第一スピーカー単体を前カバー上に装着する。
【考案の効果】
【０００５】
本考案のプッシュプル式イヤーフォンは、二個のスピーカー単体を、対面させて、気密結合、および、並列接続し、作動時、二個のスピーカー単体は、同時に、 “押す”と“引く”の動作を行い、デュアルスピーカーのプッシュプルが、イヤーフォンのスピーカーの振動時のシフトにより生じる非直線ひずみを大幅に減少させ、解像度を再現し、感度(S/N比)、および、効率(db値)を向上させる。本考案は、低音降下がよく、繊細な速度反応を有して、高品質の音質(高C/P値)を達成する。
【図面の簡単な説明】
【０００６】
【図１】本考案の分解状態を示す構造図である。
【考案を実施するための形態】
【０００７】
図１のように、本考案は、前カバー１、密封カバー２、第一スピーカー単体３と第二スピーカー単体４を有する。密封カバー２は、前カバー１上に設置され、第一スピーカー単体３と第二スピーカー単体４は、密封カバー２内に設置され、密封カバー２、第一スピーカー単体３と第二スピーカー単体４により囲まれて、ひとつの密閉空間を形成する。本実施例中、第一スピーカー単体３と第二スピーカー単体４は、対称に設置される。本実施例中、密封カバー２内に、一個のスピーカー装着位置５を設置し、第二スピーカー単体４を、スピーカー装着位置５に装着し、且つ、密封する。第一スピーカー単体３を前カバー１上に固定し、密封カバー２が、第一スピーカー単体３を覆うと共に、前カバー１ 上に固定されて、装着が完成する。実施時、必要に応じて、第一スピーカー単体３と第二スピーカー単体４を、密封カバー２内に装着する。
上述の構造は、本考案の主体構造であり、本考案は、ハウジングやストラップ等と合わせて、ヘッドセットを構成することができる。
本考案は、二個のスピーカー単体を対面させて、気密結合、および、並列接続し、作動時、二個のスピーカー単体は、同時に、 “押す”と“引く”の動作を行い、デュアルスピーカーのプッシュプルが、イヤーフォンのスピーカーの振動時のシフトにより生じる非直線ひずみを大幅に減少させ、解像度を再現し、感度(S/N比)、および、効率(db値)を向上させる。本考案低音降下がよく、繊細な速度反応を有して、高品質の音質(高C/P値)を達成する 。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
１ 前カバー
２ 密封カバー
３ 第一スピーカー単体
４ 第二スピーカー単体
５ スピーカー装着位置
【図１】
0003199298.tif 000003
(57)【要約】      （修正有）【課題】ＵＳＢ充電機能を持ち、フラットは充電される物品を置くことができ、フラットの突起部は充電される物品が落ちることを防ぐことができるＬＥＤフロアランプを提供する。【解決手段】ＬＥＤフロアランプは、ランプソケット１、述べるランプソケット１に接続される灯台２、述べる灯台２の上端に設置されるランプスタンド３、述べるランプスタンド３を囲まれるランプシェード４、述べるランプスタンド３内に設置されるＬＥＤ電球５を含む。灯台２の中部に一つの丸いフラット６があって、フラット６内にＵＳＢ充電モジュール７を設置される。フラット６エッジにＵＳＢスロット８を設置される。フラットエッジ６に環状突起９を設置される。【選択図】図１
0003199293.tif 000002
【実用新案登録請求の範囲】
【請求項１】
フロアランプにおいて、ランプソケット、ランプソケットに接続される灯台、灯台の上端に設置されるランプスタンド、ランプスタンドを囲むランプシェード、ランプスタンド内に設置されるLED電球を含み、灯台の中部に円盤状のフラットが設けられ、フラット内にUSB充電モジュールが設置され、フラットの側面端部にUSBスロットが設置されることを特徴とするフロアランプ。
【請求項２】
請求項１に記載のフロアランプにおいて、フラットの上面端部に環状突起を設置されることを特徴とするフロアランプ。
【考案の詳細な説明】
【技術分野】
【０００１】
本実用新案は一種照明具のデザイン分野に属する。特に、一種LEDランプに関連する。
【背景技術】
【０００２】
フロアランプ（Floor lamp）は一般的に客間や休憩区域に設置されて、ソファーと茶卓と合わせて使われて、部屋の局部照明と家庭環境を飾る需要を満たすためである。LED技術の改善及び向上に従って、それを使用することも普及し続ける。だんだん伝統的な電球を代ってLEDランプが出ていく。伝統的なタングステンライトより、LEDランプはスペースが小さい、電気エネルギーの消費が低い、使用寿命が長いなどのメリットを持つ。しかし、一般的なLEDランプのビームはもっと集中して散光はもっと狭くて、白熱灯のような強い散光度ができない、陰影を落として。LEDをフロアランプに使用することはまだ普及しない、且つフロアランプの機能は単一である。
【考案の概要】
【考案が解決しようとする課題】
【０００３】
本実用新案の主な目的は現有技術の欠点や不足を克服して、一種USB充電機能のLEDフロアランプを提供する。
【課題を解決するための手段】
【０００４】
上記の目的を達成するために、本実用新案の技術方案は一種充電できるLEDフロアランプである。ランプソケット、述べるランプソケットに接続される灯台、述べる灯台の上端に設置されるランプスタンド、述べるランプスタンドを囲まれるランプシェード、述べるランプスタンド内に設置されるLED電球を含まれる。灯台の中部に一つの丸いフラットがあって、フラット内にUSB充電モジュールを設置される。フラットエッジにUSBスロットを設置される。
【０００５】
最適化をするため、フラットエッジに環状突起を設置される。
【考案の効果】
【０００６】
本実用新案の充電できるLEDフロアランプはUSB充電機能を持ち、フラットは充電される物品を置くことができ、フラットの突起部は充電される物品が落ちることを防ぐ。
【図面の簡単な説明】
【０００７】
【図１】本実用新案の充電できるLEDフロアランプの構造説明図である。
【考案を実施するための形態】
【０００８】
下記の実施例は、さらに本実用新案を例示する。しかし、本実用新案の保護範囲を限定するものとして理解することはできない。当業者は本実用新案内容によって、本実用新案のある非本質についての改進及び調整などは本実用新案の範囲に属する。
【０００９】
充電できるLEDフロアランプは図１のように、ランプソケット１、述べるランプソケット１に接続される灯台２、述べる灯台２の上端に設置されるランプスタンド３、述べるランプスタンド３を囲まれるランプシェード４、述べるランプスタンド３内に設置されるLED電球５を含まれる。灯台２の中部に一つの丸いフラット６があって、フラット６内にUSB充電モジュール７を設置される。フラット６エッジにUSBスロット８を設置される。フラットエッジ６に環状突起９を設置される。
【００１０】
本実用新案の充電できるLEDフロアランプはUSB充電機能を持ち、携帯などの物品の充電ができる。フラットは充電される物品を置くことができ、フラットの突起部は充電される物品が落ちることを防ぐ。
【００１１】
上記は、単なる本実用新案の具体的な実施方式しかない。しかし、実用的な新型の保護範囲はこれに限定されるものではない。すべての創造的な労働をせずに考えた変化や変更は、本実用新案の保護範囲に覆われる。したがって、本実用新案の保護範囲は、権利要求書を限定された範囲によって定義されるべきである。
【符号の説明】
【００１２】
１  ランプソケット
２  灯台
３  ランプスタンド
４  ランプシェード
５  LED電球
６  フラット
７  USB充電モジュール
８  USBスロット
９  環状突起
【図１】
0003199293.tif 000003
(57)【要約】      （修正有）【課題】照射範囲が広く、散熱効果がよいＬＥＤ壁ランプを提供する。【解決手段】空気浄化機能をもつＬＥＤ壁ランプであって、ランプボディ１、ランプボディ１外部に囲まれるランプシェード５を含む。ランプボディ１の形状は四分の一の円形である。ＬＥＤ発光体２はランプボディ１の弧状表面に設置されて、ランプボディ１内部に上下に貫通する放熱チャネル３が設置される。放熱チャネル３にアニオン発生器４が設置される。【選択図】図１
0003199296.tif 000002
【実用新案登録請求の範囲】
【請求項１】
LED壁ランプにおいて、ランプボディ、ランプボディを囲むランプシェードを含み、ランプボディの形状は球を４分割した形状を有し、LED発光体はランプボディの弧状表面に設置され、ランプボディの内部には上下方向に貫通する放熱チャネルが設けられ、放熱チャネル内にアニオン発生器が設置されることを特徴とするLED壁ランプ。
【考案の詳細な説明】
【技術分野】
【０００１】
本実用新案は一種照明具の設計分野に属する。特に、一種空気浄化LED壁ランプに関連する。
【背景技術】
【０００２】
壁ランプはインテリアの照明具で、普通はミルキーのガラスシェードと組み合わせる。ランプ電力は約15−40ワットぐらいである。明かりはエレガントで調和して、環境を優雅で豪華に飾ってから、新婚家に特に適する。LEDは冷光を活用して、フレアも小さいし、放射もなく、使用中に有害物資を生成しない。LED の運用電圧は低くて、直流駆動方式を採用する。超低いパワー（単一チューブ0.03~0.06W）で、電光パワーの変換は100パーセントに近く、同じ照明効果の下に、伝統光源より80パーセント以上のエネルギーが節約できる。LEDは環境上のメリットもさらに素晴らしい。スペクトルの中に紫外線及び赤外線がなく、廃棄物もリサイクルできるから、汚染もない。水銀元素も含まないし、安全に触れることができる。典型的な緑の照明に属する。
【０００３】
LED技術の改善及び向上に従って、それを使用することも普及し続ける。だんだん伝統的な電球を代ってLEDランプが出ていく。しかし、一般的なLEDランプのビームは もっと集中して散光はもっと狭くて、白熱灯のような強い散光度ができない。陰影を落として、それに悪い散熱効果もランプの使用寿命にも影響する。
【考案の概要】
【考案が解決しようとする課題】
【０００４】
本実用新案の主な目的は現有技術の欠点や不足を克服して、照射範囲が広く、散熱効果がよい一種LED壁ランプを提供するためである。
【課題を解決するための手段】
【０００５】
上記の目的を達成するために、本実用新案の技術方案は一種空気浄化LED壁ランプである。ランプボディ、述べるランプボディ外部に解き囲まれるランプシェードを含まれる。述べるランプボディの形状は四分の一の円形である。LED発光体はランプボディの弧状表面に設置されて、ランプボディ内部に上下に貫通する放熱チャネルを設置される。放熱チャネルにアニオン発生器を設置される。
【考案の効果】
【０００６】
本実用新案の空気浄化LED壁ランプは四分の一の球形のデザインを採用して、LED発光体はランプボディの弧状表面に設置されて、LED壁ランプの照射範囲を増加する。放熱チャネルのデザインはLED壁ランプの放熱を役に立つ。放熱チャネルにアニオン発生器を設置され手、空気浄化を有利する。
【図面の簡単な説明】
【０００７】
【図１】本実用新案の空気浄化LED壁ランプの構造説明図である。
【考案を実施するための形態】
【０００８】
下記の実施例は、さらに本実用新案を例示する。しかし、本実用新案の保護範囲を限定するものとして理解することはできない。当業者は本実用新案内容によって、本実用新案のある非本質についての改進及び調整などは本実用新案の範囲に属する。
【０００９】
LED壁ランプは図１に示すように、ランプボディ１、述べるランプボディ外部に囲まれるランプシェード５を含まれる。述べるランプボディ１の形状は四分の一の円形である。LED発光体２はランプボディ１の弧状表面に設置されて、ランプボディ１内部に上下に貫通する放熱チャネル４を設置される。放熱チャネル４にアニオン発生器４を設置される。
【００１０】
本実用新案の空気浄化LED壁ランプは四分の一の球形のデザインを採用して、LED発光体はランプボディの弧状表面に設置されて、LED壁ランプの照射範囲を増加する。放熱チャネルのデザインはLED壁ランプの放熱を役に立つ。放熱チャネルにアニオン発生器を設置され手、空気浄化を有利する。
【００１１】
上記は、単なる本実用新案の具体的な実施方式しかない。しかし、実用的な新型の保護範囲はこれに限定されるものではない。すべての創造的な労働をせずに考えた変化や変更は、本実用新案の保護範囲に覆われる。したがって、本実用新案の保護範囲は、権利要求書を限定された範囲によって定義されるべきである。
【符号の説明】
【００１２】
１  ランプボディ
２  LED発光体
３  放熱チャネル
４  アニオン発生器
５  ランプシェード
【図１】
0003199296.tif 000003